(57)【要約】【目的】従来のものと比べて構造が簡単で、安価に製造が可能な長さ調節・固定具を提供する。【構成】切開生地の一方に設けたレール部（１０）の長穴（１１）に沿って移動可能なボタンの雌雄部材の一方（１４）と、これに係合可能な、切開生地の他方に固定された雌雄部材の他方（１５）からなる長さ調節の可能な固定具。長穴（１１）は、幅が狭い部分と広い部分（１１ａ，１１ｂ，１１ｃ）を有する。雄部材（１４）は、レール部（１０）から突出する係合用突起（１４ａ）と、長穴の壁と係合する細い頸部（１４ｂ）と、レール部の表裏でレール部を挟み込み脱落を防止する支持板（１４ｃ，１４ｄ）からなる。【選択図】  図４
2004222968.tif 000002
【特許請求の範囲】
【請求項１】
切開生地の一方に設けたレール部（１０）の長穴（１１）に沿って移動可能なボタンの雌雄部材の一方（１４）と、
これに係合可能な、切開生地の他方に固定された雌雄部材の他方（１５）からなる
ことを特徴とする長さ調節の可能な固定具。
【請求項２】
切開生地の一方に設けたレール部（１０Ａ）の長穴（１１Ａ）に沿って移動可能なボタンの雌雄部材の一方（１４Ａ）と、
これに係合可能な、切開生地の他方に設けたレール部（１６）の長穴（１７）に沿って移動可能なボタンの雌雄部材の他方（１５Ａ）からなる
ことを特徴とする長さ調節の可能な固定具。
【請求項３】
長穴（１１，１１Ａ）が、幅が狭い部分と広い部分（１１ａ，１１ｂ，１１ｃ）を有する請求項１又は２記載の固定具。
【請求項４】
雄部材（１４）が、レール部（１０）から突出する係合用突起（１４ａ）と、長穴の壁と係合する細い頸部（１４ｂ）と、レール部の表裏でレール部を挟み込み脱落を防止する支持板（１４ｃ，１４ｄ）からなる請求項１ないし３のいずれかに記載の固定具。
【請求項５】
雄部材（１４）の頸部（１４ｂ）の直径が前記幅の狭い部分の直径よりも大きく、前記幅の広い部分の直径よりも小さく、広い部分においてのみ雄部材が安定する請求項４記載の固定具。
【請求項６】
雌部材（１５）が、レール部（１６）から突出する係合用受容部と、長穴の壁と係合する細い頸部と、レール部の裏側でレール部を挟み込み脱落を防止する支持板からなる請求項１ないし３のいずれかに記載の固定具。
【請求項７】
雌部材の頸部の直径が前記幅の狭い部分の直径よりも大きく、前記幅の広い部分の直径よりも小さく、広い部分においてのみ雌部材が安定する請求項６記載の固定具。
【請求項８】
レール部（１０）に支持板（１４ｃ，１１ｃ）とほぼ同じか若干それよりも高い隆起部（１２，１３）を設けて支持板がその隆起部の内側で移動可能とした請求項１ないし７のいずれかに記載の固定具。
【発明の詳細な説明】
【０００１】
【発明の属する技術分野】
本発明は取付対象部の長さ調節が可能な固定具に関する。本発明の固定具は、例えば、衣服のウエストサイズの調節固定や帽子サイズの調節固定などに利用することができる。
【０００２】
【従来の技術】
例えば下記特許文献１のウエストサイズの調節具によると、衣服のポケットを上端まで切開して、重複する外側腰回り部と内側腰回り部を形成し、外側腰回り部の外面に突条を有するレールと、このレールが挿通され突条と係止するように外側腰回り部に付設されたスライダーとを設けている。
【０００３】
【特許文献１】実公平６−１３２１１号
【０００４】
【発明が解決しようとする課題】
特許文献１では、レールやスライダーにおいて多くの部品を使用するので、製造コストが高い。用途によっては、例えば、帽子サイズの調節固定などあまり大きな力が加わらないので、もっと簡単な構造のものであってもよい。
【０００５】
本発明は、従来のものと比べて構造が簡単で、従って安価に製造が可能な長さ調節・固定具を提供することを目的とする。
【０００６】
【課題を解決するための手段】
本発明の長さ調節の可能な固定具は、第１の観点では、切開生地の一方に設けたレール部の長穴に沿って移動可能なボタンの雌雄部材の一方と、これに係合可能な、切開生地の他方に固定された雌雄部材の他方からなることを特徴とする。
【０００７】
第２の観点では、切開生地の一方に設けたレール部の長穴に沿って移動可能なボタンの雌雄部材の一方と、これに係合可能な、切開生地の他方に設けられたレール部の長穴に沿って移動可能なボタンの雌雄部材の他方からなることを特徴とする。
【０００８】
【発明の実施の態様】
好ましくは、長穴の幅は狭い部分と広い部分を有するものとする。広い部分の数は、調節する範囲のもよるが、３−５程度が好ましい。
【０００９】
レール部の長穴にスライド可能に雄部材を取り付けるためには、雄部材を、レール部から突出する係合用突起と、長穴の壁と係合する細い頸部と、レール部の表裏でレール部を挟み込み脱落を防止する支持板からなるものとするのが好ましい。
【００１０】
そのとき、雄部材の頸部の直径が前記幅の狭い部分の直径よりも大きく、前記幅の広い部分の直径よりも小さくして、広い部分においてのみ雄部材が安定するようにするのが好ましい。
【００１１】
レール部の長穴にスライド可能に雌部材を取り付けるためには、雌部材を、レール部から突出する係合用受容部と、長穴の壁と係合する細い頸部と、レール部の表裏でレール部を挟み込み脱落を防止する支持板からなるものとするのが好ましい。
【００１２】
そのとき、雌部材の頸部の直径が前記幅の狭い部分の直径よりも大きく、前記幅の広い部分の直径よりも小さくして、広い部分においてのみ雌部材が安定するようにするのが好ましい。
【００１３】
さらに、レール部に支持板とほぼ同じか若干それよりも高い隆起部を設けて支持板がその隆起部の内側で移動可能とするのが好ましい。
【００１４】
【実施例】
以下、添付の図面に基づき、本発明の実施例を説明する。
【００１５】
＜第１実施例＞
図１は、本発明第１実施例の調節固定具を取り付けた状態のズボンウエスト部である。この調節固定具は、通常の前部開閉部とは別に一部を切開して形成した衣服の重なり部分に装着する。重なり部分は通常、左右両側部に設けるとバランスがよく、調整範囲を拡げるが、一方でも効果がある。
【００１６】
衣服の重なり部分の一方には、スライド範囲を規定するレール部１０が設けられている。レール部は、楕円円周部に沿って、縫合、かしめ、接着剤等により生地に取り付けられている。図２に示すように、レール部１０は長穴１１の開けられた１枚の板状体からなる。長穴１１は、ほぼ均一の幅を有するが、両端１１ａ，１１ｂ及び中央１１ｃで膨らみ、円形を形成している。板状体は、ある程度の強度が必要なので、金属板又はプラスチック板で形成するのが好ましい。
【００１７】
この長穴１１に沿ってスライド可能なように、ボタンの雄部材１４が取り付けられている。図４の断面図から明らかなように、このボタンは、レール部表面から突出する係合用突起１４ａと、長穴の壁と係合する細い頸部１４ｂと、レール部の表裏でレール部を挟み込み脱落を防止する支持板１４ｃ，１４ｄからなり、それらが一体化している。特に、係合用突起１４ａと係合側支持板１４ｃは１枚の金属板から製作するのが好ましい。頸部１４ｂの直径は長穴１１の通常幅よりもやや大きいので、ボタンは両端１１ａ，１１ｂ及び中央１１ｃの円形部分のみで安定し、それ以外の場所では不安定である。
【００１８】
なお、平面からみると（図２（ａ））、楕円円周部に沿って浅い隆起部１２があり、底面から見ると（図２（ｂ））、楕円円周部が浅い隆起部１３を構成している。支持板１４ｃは隆起部１２の壁に沿って移動可能であり、支持板１４ｄは隆起部１３の壁に沿って移動可能である。これら隆起部１２、１３の隆起高さは、支持板１４ｃ，１４ｄの厚みとほぼ等しいかそれより若干高くすることが好ましい。そのことにより、支持板１４ｃ，１４ｄがレール部１０から突出するのを避けることができ、生地が支持板の内側に巻き込まれるのを防止することができる。
【００１９】
この雄部材と係合するボタン雌部材１５は、図１、図３に示すように、衣服の重なり部分の他方に固定されている。図４の断面図においてさらに明らかなように、ボタン雌部材は、表面飾り部材１５ａと、生地を貫通している頸部１５ｂと、雄部材の受容部１５ｃからなる。
【００２０】
本発明の調節固定具の使用法は次のとおりである。図１において、雌部材ボタン１５をレール部の雄部材１４と係合させる。その状態で雌部材１５を左右にスライドさせると、それに伴って雄部材１４もスライドする。前記したように、雄部材は両端１１ａ，１１ｂ及び中央１１ｃの円形部分のみで安定するので、この位置において一時的に固定される。
【００２１】
位置固定は長穴の幅の大小に基づく摩擦力によるので、強い力が掛かったときには一時固定が解除されて雄部材は移動してしまう。したがって、本発明の調節固定具は、あまり強い力が必要とされない場所での使用が好ましい。
【００２２】
＜第２実施例＞
図５は、本発明の第２実施例である。第１実施例と異なるのは雌部材だけである。第２実施例では、第１実施例における雌部材１５Ａもレール部１６の長穴１７に沿ってスライド可能とする。雌部材をレール部に取り付ける方法は、雌部材をレール部に取り付ける方法とほぼ同じである。すなわち、レール部から突出する係合用受容部と、長穴の壁と係合する細い頸部と、レール部の表裏でレール部を挟み込み脱落を防止する支持板から構成するのである（図示省略）。頸部の直径は長穴の通常幅よりもやや大きいので、ボタンは両端及び中央の円形部分のみで安定し、それ以外の場所では不安定である。
【００２３】
第２実施例によれば、雌部材用のレール部１６と雄部材用のレール部１０を合わせた長さだけ位置調節が可能となるので、第１実施例の約２倍の範囲にわたって長さ調節が可能である。
【００２４】
その他、図示しないが、上記第１、第２実施例において雌雄部材の位置を逆転させることも可能である。レール部の形状も楕円形だけでなく、長方形や平行四辺形などが可能である。
【００２５】
【発明の効果】
本発明によれば、レール部には長穴のみを設ければよく、構造が極めて簡単である。また、本発明によればスライダーに相当する雌雄部材は、単にレール部を２枚の支持板において挟み込んでいるだけであるから、これまた構造が極めて簡単である。したがって、本発明は安価に製造可能である。あまり強い強度は得られないが、さほどの強度を必要としない箇所において簡単に長さ調節をするのに適している。
【図面の簡単な説明】
【図１】本発明第１実施例の調節固定具を取り付けた状態のズボンウエスト部である。
【図２】レール部と雄部材の表面図（ａ）と底面図（ｂ）である。
【図３】雌部材の表面図（ａ）と底面図（ｂ）である。
【図４】図２，図３の横断面図である。
【図５】本発明第２実施例の調節固定具を取り付けた状態のズボンウエスト部である。
【符号の説明】
１０      レール部
１１      長穴
１２，１３        隆起部
１４      雄部材
１４ａ  係合用突起
１４ｂ  頸部
１４ｃ，１４ｄ              支持板
１５      雌部材
１５ａ  飾り部材
１５ｂ  頸部
１５ｃ  受容部
１５ｂ  頸部
【図１】
2004222968.tif 000003
【図２】
2004222968.tif 000004
【図３】
2004222968.tif 000005
【図４】
2004222968.tif 000006
【図５】
2004222968.tif 000007